(57)【要約】【課題】  レンタル店や販売店の陳列棚にＣＤやＤＶＤなどを収容したケースを陳列する為の陳列具であって、製造が簡単で低コストで製作・組み立てが出来る陳列具の提供。【解決手段】  陳列具は一定厚さの樹脂製板１０を切断、裁断、打ち抜きなどにて所定の形状に加工すると共に、表面又は裏面を切欠いて薄肉化した折り曲げ溝２７ａ，２７ｂを設け、該折り曲げ溝を介して折り曲げることで組み立て構成したものであり、上記ＣＤやＤＶＤなどを収容したケースが載る載置部２５ａ，２５ｂ、ＣＤなどのケースが凭れ掛かる凭れ部２３、そして載置部２５ａ，２５ｂの正面側先頭にはストッパー部２６ａ，２６ｂを上方へ突出して設け、そして凭れ部２３を構成する両側板の上端は互いに係合している。【選択図】    図４
0003122045.tif 000002
【実用新案登録請求の範囲】
【請求項１】
レンタル店や販売店の陳列棚にＣＤやＤＶＤなどを収容したケースを陳列する為の陳列具において、該陳列具は一定厚さの樹脂製板を切断、裁断、打ち抜きなどにて所定の形状に加工すると共に、表面又は裏面を切欠いて薄肉化した折り曲げ溝を設け、該折り曲げ溝を介して折り曲げることで組み立て構成したものであり、上記ＣＤやＤＶＤなどを収容したケースが載る載置部、ＣＤなどのケースが凭れ掛かる凭れ部、そして載置部の正面側先頭にはストッパー部を上方へ突出して設け、そして互いに対向する一方の部位に設けた係合片を他方の部位に形成した係合溝に係合することで折畳んで組み立てた陳列具が展開しないように止着したことを特徴とするＣＤなどの陳列具。
【請求項２】
レンタル店や販売店の陳列棚にＣＤやＤＶＤなどを収容したケースを陳列する為の陳列具において、該陳列具は一定厚さの概略長方形の樹脂製板を切断、裁断、打ち抜きなどにて所定の形状に加工すると共に、表面又は裏面を切欠いて薄肉化した折り曲げ溝を設け、該折り曲げ溝を介して折り曲げることで組み立て構成したものであり、上記ＣＤやＤＶＤなどを収容したケースが載る載置部、ＣＤなどのケースが凭れ掛かる凭れ部、凭れ部を支える支え部、そして載置部の正面側先頭にはストッパー部を上方へ突出して設け、支え部は載置部の後方へ延びる後方部先端にて止着され、そして互いに対向する一方の部位に設けた係合片を他方の部位に形成した係合溝に係合することで折畳んで組み立てた陳列具が展開しないように止着したことを特徴とするＣＤなどの陳列具。
【請求項３】
互いに係合する上記係合片と係合溝に代えて、互いに対向する一方の部位と他方の部位を両面テープにて止着した請求項１、又は請求項２記載のＣＤなどの陳列具。
【考案の詳細な説明】
【技術分野】
【０００１】
本考案はレンタル店や販売店の陳列棚にＣＤやＤＶＤなどを顧客が見易いように、又取出し易いように陳列する為の陳列具に関するものである。ここで、陳列の対象とする商品は特に限定されるものではなく、本や箱形容器に収容する限り本考案の陳列具を利用できる。
【背景技術】
【０００２】
図７は従来の陳列具を陳列棚に配置している状態を表している具体例であり、同図の(イ)は陳列棚、(ロ)は陳列具を表している。陳列棚(イ)はＬ形断面の長尺材を成し、この陳列棚(イ)の底板(ハ)に上記陳列具(ロ)が載置されて、縦板(ニ)に陳列具(ロ)の背板(ホ)が当接した状態で配列している。陳列具(ロ)の形状は図８に示すように、底板(ヘ)と背板(ホ)、正面板(ト)、及び前板(チ)から形成され、背板(ホ)は底板(ヘ)の背後に垂直に起立し、正面板(ト)は底板(ヘ)の正面側に垂直に起立している。そして、前板(チ)は正面板(ト)に接して垂直に起立している。
【０００３】
この陳列具(ロ)は透明又は半透明な樹脂板を曲げ成形して製作され、図７に示すように水平に延びる長い陳列棚(イ)に配列している。そして、この陳列具(ロ)にはＣＤを収容しているＣＤケース(リ)、(リ)・・が並べられている。しかし、背板(ホ)から正面板(ト)までが隙間なく詰まる枚数分を並べる場合には良いが、２〜３枚のＣＤケースであれば倒れてしまうために、背後にコ形の支持具(ヌ)が置かれている。
【０００４】
ところで、前記図８に示している従来の陳列具(ロ)は透明なプラスチック樹脂板を曲げ成形して製作されるが、曲げられる箇所が複数箇所ある為に、製作コストは比較的高くなってしまう。ＣＤ、ＤＶＤなどのレンタル店や販売店ではこの陳列具(ロ)、(ロ)・・を数多く必要とし、僅かなコスト高であっても大きな負担となってしまう。
【０００５】
そして、工場で製作した数多くの陳列具（ロ）、（ロ）・・をＣＤ、ＤＶＤなどのレンタル店や販売店へ搬送する場合、底板（ヘ）の前後に正面板（ト）、前板（チ）及び背板（ホ）が起立した形状であるために、非常に嵩張ってしまう。一方、正面板（ト）は底板（ヘ）に対して垂直に起立している為に、該正面板（ト）に当接するＣＤケース（リ）は垂直に起立して陳列される。その為に、店に訪れる客にとって見難く、勿論、目に留まりにくいといった問題がある。
【考案の開示】
【考案が解決しようとする課題】
【０００６】
このように、従来のＣＤケースなどの陳列具には上記のごとき問題がある。本考案が解決しようとする課題はこれら問題点であり、一定厚さの樹脂製の平板を打抜きや切断などにて製作されて製造コストが非常に安くなると共に搬送時にも嵩張らない陳列具を提供する。
【課題を解決するための手段】
【０００７】
本考案に係る陳列具は１枚の樹脂製板を所定形状に切断したり、打ち抜いたり、又は溶断などにて所定形状に加工したものを折り曲げて組み立てることで構成している。折り曲げることが出来る位置は切欠いて薄肉とされた折り曲げ溝とし、特別な継手部材を取付けた構造ではない。そして、陳列具の具体的な形態は色々あるために限定するものではないが、ＣＤやＤＶＤなどを収容したケースが載置される載置部と凭れ掛かる凭れ部、及び載置部の正面にはストッパー部を有している。
【０００８】
そこで、ＣＤやＤＶＤなどを入れたケースは載置部に載置されると共に、傾斜した状態で凭れ部に凭れ掛かり、しかも滑らないようにストッパー部に当たる。このように、１枚の樹脂製板を折り曲げて組み立てることが出来るように、係合溝と係合片を設け、該係合片は係合溝に係合して分離(展開)しないように組み付けされる。ただし、係合片を係合溝に係合して組み立てる代わりに両面テープを使用する場合もある。
【考案の効果】
【０００９】
本考案に係る陳列具は、１枚の樹脂製板を所定の形状に切断、裁断、又は打ち抜きなどにて製作し、これを折り曲げて作られる。従って、製作コストは非常に安くなり、又組み立ては使用する店にて行うことが出来るために、搬送時の梱包もコンパクト化される。勿論、搬送費は安くなる。そして組み立て作業は所定形状の樹脂板に設けた薄肉箇所となる折り曲げ溝を介して折り曲げることで簡単に行うことが出来る。
【００１０】
樹脂製板には係合溝と係合片が設けられて互いに噛み合うことで展開することはなく、接着剤などの止着手段を用いる必要がない。ただし、時には両面テープを使用することもある。そこで、ＣＤやＤＶＤなどを収容したケースを載置部に載せ、凭れ部に凭れ掛けて陳列することが出来る。凭れ掛かったＣＤなどのケースは多少傾斜した状態となる為に、客の目に留まり易くなる。
【実施例】
【００１１】
本考案に係る陳列具は１枚の樹脂製板を折り曲げて組み立てることが出来る。陳列具の形態には色々あるが、以下のその具体例を幾つか説明する。
(具体例１)
図１は本考案に係る陳列具を表す具体例であり、底部１、凭れ部２、支え部３から成り、底部１の正面側には載置部４を有している。凭れ部２は後方へ傾斜すると共に倒れないように支え部３にて支えられて、底部１に対して概略逆Ｖ形をなし、載置部４の両側には側板５，５を起立している。そして、該側板５，５の中央部上側が切欠かれて正面にはストッパー６，６が突出している。
【００１２】
上記凭れ部２より正面側に位置する載置部４に対して後方に位置する後方部７は載置部４と連続した底部１の一部として形成され、上記支え部３には後方部７の後方端に設けている係合片８が係合している。すなわち、支え部３の下端部には係合穴９が設けられていて、この係合穴９に係合片８が係合することで、該支え部３は起立して上記凭れ部２を支えている。
【００１３】
凭れ部２は底部１の載置部４と後方部７との境界から起立し、載置部４の両側に起立している側板５，５にはその後方端に係合片１４が設けられており、この係合片が凭れ部２に形成した係合溝１３に嵌っている。このように、同図に示している本考案の陳列具は展開することで概略長方形をした１枚の樹脂製板となる訳で、１枚の樹脂製板を折り曲げて組み立てられる。
【００１４】
図１(ｂ)は(ａ)の陳列具を展開した樹脂製板１０を表している。該陳列具は図１(ｂ)に示すように、樹脂製板１０を所定形状に裁断し、これを折り曲げることで組み立てることが出来る。図１(ｂ)において、載置部４の両側には側板５，５が設けられ、載置部４と連続して後方部７が後方へ延び、後方部７の両側には凭れ部２が形成されている。すなわち、凭れ部２は載置部４と連続しており、その中央部が切り抜き線１５にて切断されて後方部７と成っている。従って、陳列具として組み立てるならば、凭れ部２が起立することで後方部７と分離して中央部には開口１１が形成される。
【００１５】
側板５，５は載置部４の両側に起立することが出来るように、折り曲げ溝１２ａ，１２ａが形成され、この折り曲げ溝１２ａ，１２ａは樹脂製板１０の裏面を切欠いて薄肉状態とされている。同じく、凭れ部２も起立することが出来るように載置部４の後方端には折り曲げ溝１２ｂ，１２ｂを設けており、さらに凭れ部２と支え部３との境界にも折り曲げ溝１２ｃを形成している。そして、同図１３は凭れ部２の下端部に形成している係合溝、１４は側板５の後方端に設けている係合片を表し、起立した側板５が倒れないように係合片１４は係合溝１３に係合することが出来る。
(具体例２)
図２は本考案に係る陳列具を表している別の具定例である。基本的な形態は前記図１の陳列具と同じであり、底部１、凭れ部２、及び支え部３とで構成している。凭れ部２は底部１の正面側載置部４の後方端にて折り曲げ溝１２ｂ，１２ｂを介して折り曲げられ、斜め後方へ傾斜して起立している。そして、凭れ部２の上端にて支え部３が折り曲げ溝１２ｃを介して折り曲げられ、該凭れ部２が倒れないように支えられている。
【００１６】
載置部４の正面にはストッパー部６が起立して設けられているが、倒れないように両面テープにて接着されている。又、支え部３の下端も両面テープにて後方部７の後方端と接着されている。図２(ｂ)は所定形状に裁断された樹脂製板１０を表している。すなわち、(ｂ)に示す樹脂製板１０を折り曲げて組み立てることで、図２(ａ)に示す陳列具が出来上がる。
【００１７】
この樹脂製板１０は一定幅を有した長方形で、載置部４の後方端には折り曲げ溝１２ｂ，１２ｂを介して凭れ部２が連続し、該凭れ部２の中央には切り抜き線１５を設けて後方部７と分離して凭れ部２は起立することが出来る。そして、支え部３の後方端には折り曲げ溝１２ｅを介して接着片１６が設けられ、この接着片１６には両面テープが貼着されて後方部７の後端に接着される。又、載置部４の正面側には折り曲げ溝１２ｄを介してストッパー部６が設けられている。
【００１８】
ストッパー部６は２枚のストッパー片１７ａ，１７ｂが折り曲げ溝１２ｄ，１２ｄを間にして形成され、該ストッパー片１７ｂの先端には接着片１８を設けている。これら折り曲げ溝１２ｄ，１２ｄ・・を介して折り曲げて作られたストッパー部６は接着片１８が載置部４の表面に接着されることで、図２(ａ)に示すように垂直に起立することが出来る。
(具体例３)
図３(ａ)は陳列具を示す他の具体例である。基本的な形態は前記図１(ａ)や図２(ａ)の陳列具と同じであり、底部１、凭れ部２、及び支え部３とで構成している。凭れ部２は底部１の正面側載置部４の後方端にて折り曲げ溝１２ｂ，１２ｂを介して折り曲げられ、斜め後方へ傾斜して起立している。そして、凭れ部２の上端にて支え部３が折り曲げ溝１２ｃを介して折り曲げられ、該凭れ部２が倒れないように支えられている。
【００１９】
載置部４の正面にはストッパー部６が起立して設けられているが、倒れないように折り返されて先端係合片１９が凭れ部２の中央部に形成している開口１１の底に係止した構造と成っている。又、支え部３の下端には係合溝が設けられ、この係合溝には載置部４から後方へ延びる後方部７の後方端に形成している係合片８が係合している。すなわち、支え部３と後方部７との連結手段は図１(ａ)に示す陳列具の場合と同じ構造と成っている。
【００２０】
図３(ｂ)は裁断された樹脂製板１０を表している。すなわち、(ｂ)に示す樹脂製板１０を折り曲げて組み立てることで、図３(ａ)に示す陳列具が出来上がる。この樹脂製板１０は一定幅を有し、載置部４の後方端には折り曲げ溝１２ｂ，１２ｂを介して凭れ部２が連続し、該凭れ部２の中央には切り抜き線１５を設けて後方部７と分離して凭れ部２は起立することが出来る。そして、折り曲げ溝１２ｃを介して連続している支え部３の後方端には係合穴９が形成され、後方部７の後端部に設けられている係合片８が該係合穴９に係合することが出来る。
【００２１】
ストッパー部６は２枚のストッパー片１７ａ，１７ｂが折り曲げ溝１２ｄ，１２ｄを間にして形成され、該ストッパー片１７ｂの先端には折り曲げ溝１２ｄを介して繋ぎ片２０が連続し、そして該繋ぎ片２０の先端には係合片１９を有している。これら折り曲げ溝１２ｄ，１２ｄ・・を介して折り曲げて作られたストッパー部６は、繋ぎ片２０が折り返されて載置部４に重なり、先端の係合片１９は凭れ部２の中央部開口１１の下端に係合することが出来る。
(具体例４)
図４(ａ)は本考案に係る陳列具を表している具体例である。この陳列具は前記具体例とは多少異なり、底部２２と凭れ部２３を有し、該凭れ部２３は側板２４ａ，２４ｂから成っている。側板２４ａ，２４ｂは底部２２の両側に傾斜して起立し、側板２４ａの上端に設けた係合片が側板２４ｂの上端に形成した係合溝に係合して連結している。
【００２２】
側板２４ａ，２４ｂの下側一部を正面側に延ばして載置部２５ａ，２５ｂを形成し、載置部２５ａ，２５ｂの正面にはストッパー部２６ａ，２６ｂを上方へ突出して設けている。ＣＤなどを収容したケースは載置部２５ａ，２５ｂに載置されると共に凭れ部２３に凭れ掛かって陳列される。そして、ケース下端はストッパー部２６ａ，２６ｂに当たって滑り倒れることはない。
【００２３】
図４(ｂ)は展開図を表しており、樹脂製板１０は所定の形状に裁断され、折り曲げ溝２７ａ，２７ｂを形成している。そして、側板２４ａの先端には係合片２８が、側板２４ｂの先端には係合溝２９が形成されている。両折り曲げ溝２７ａ，２７ｂにて側板２４ａ，２４ｂを折り曲げて、先端の係合片２８を係合溝２９に係合して組み立てることが出来る。
(具体例５)
図５(ａ)は本考案に係る陳列具を表している更に別の具体例である。この陳列具は前記図４(ａ)の場合と同じように、底部２２と凭れ部２３を有し、該凭れ部２３は側板２４ａ，２４ｂから成っている。そして、側板２４ａ，２４ｂは底部２２に対してほぼ垂直に起立し、上端を屈曲して内側へ延ばしている繋ぎ片３０ａ，３０ｂが連結している。すなわち、繋ぎ片３０ａの先端に設けた係合片が他の繋ぎ片３０ｂの先端に形成した係合溝に係合して連結している。
【００２４】
そして、側板２４ａ，２４ｂの下側一部を正面側に延ばして載置部２５ａ，２５ｂを形成し、載置部２５ａ，２５ｂの正面にはストッパー部２６ａ，２６ｂを上方へ突出して設けている。ＣＤなどを収容したケースは載置部２５ａ，２５ｂに載置されると共に凭れ部２３に凭れ掛かって陳列される。そして、ケース下端はストッパー部２６ａ，２６ｂに当たって滑り倒れることはない。
【００２５】
又、この陳列具には背板３１が設けられ、該背板３１は底部２２の後端から垂直に起立すると共に、その両端は側板２４ａ，２４ｂと繋がっている。すなわち、側板２４ａ，２４ｂに設けた係合片が背板３１の両側に形成した係合溝に係合して連結している。
【００２６】
図５(ｂ)は展開図を表しており、樹脂製板１０は所定の形状に裁断され、折り曲げ溝２７ａ，２７ｂ、３２ａ，３２ｂ、３３を形成している。側板２４ａの先端には折り曲げ溝３２ａを介して繋ぎ片３０ａが延び、該繋ぎ片３０ａの先端には係合片２８が設けられている。そして側板２４ｂの先端には折り曲げ溝３２ｂを介して繋ぎ片３０ｂが延び、該繋ぎ片３０ｂの先端には係合溝２９が形成されている。
【００２７】
両折り曲げ溝２７ａ，２７ｂにて側板２４ａ，２４ｂを折り曲げて、そして折り曲げ溝３２ａ，３２ｂにて繋ぎ片３０ａ，３０ｂを折り曲げて、先端の係合片２８を係合溝２９に係合して組み立てることが出来る。底部２２の後端には折り曲げ溝３３を介して背板３１が延び、該背板３１の両側には係合溝３４ａ，３４ｂを形成し、側板２４ａ，２４ｂの背後に設けている係合片３５ａ，３５ｂが係合することが出来る。
(具体例６)
図６(ａ)は本考案に係る陳列具を表している別の具体例である。底部２２と凭れ部２３を有し、該凭れ部２３は側板２４ａ，２４ｂと背板３６から成っている。そして、側板２４ａ，２４ｂ、及び背板３６は底部２２に対してほぼ垂直に起立している。
【００２８】
そして、側板２４ａ，２４ｂの下側一部を正面側に延ばして載置部２５ａ，２５ｂを形成し、載置部２５ａ，２５ｂの正面にはストッパー部２６ａ，２６ｂを上方へ突出して設けている。そして、上記底部２２は両載置部２５ａ，２５ｂに載って支持され、正面側に形成した係合溝３７ａ，３７ｂはストッパー部２６ａ，２６ｂに係合している。同じく、底部２２には係合溝３８ａ，３８ｂが形成されて側板２４ａ，２４ｂと係合している。そこで、ＣＤなどを収容したケースは底部２２に載置されると共に凭れ部２３に凭れ掛かって陳列される。そして、ケース下端はストッパー部２６ａ，２６ｂに当たって滑り倒れることはない。
【００２９】
図６(ｂ)は展開図を表しており、樹脂製板１０は所定の形状に裁断され、折り曲げ溝２７ａ，２７ｂ、３３を形成している。両折り曲げ溝２７ａ，２７ｂにて側板２４ａ，２４ｂを折り曲げて、そして折り曲げ溝３３にて背板３６を折り曲げて、底部２２の前側部に形成した係合溝３７ａ，３７ｂ，３８ａ，３８ｂをストッパー部２６ａ，２６ｂと側板２４ａ，２４ｂに係合して組み立てられる。
【００３０】
上記図１〜図６に示す陳列具はあくまでも具体例であり、これら実施例に限定するものではない。本考案は所定の形状に裁断又は打ち抜いた樹脂製板を折り曲げて組み立てたものである。折り曲げに際しては表面又は裏面を切欠いて薄肉化した継手部を形成している。そして、組み立てた陳列具が展開しないように互いに係合する係合片と係合溝を形成し、又は両面テープにて止着することが出来る。
【図面の簡単な説明】
【００３１】
【図１】(ａ)は本考案に係る陳列具の具体例、(ｂ)は該陳列具の展開図。
【図２】(ａ)は本考案に係る陳列具の具体例、(ｂ)は該陳列具の展開図。
【図３】(ａ)は本考案に係る陳列具の具体例、(ｂ)は該陳列具の展開図。
【図４】(ａ)は本考案に係る陳列具の具体例、(ｂ)は該陳列具の展開図。
【図５】(ａ)は本考案に係る陳列具の具体例、(ｂ)は該陳列具の展開図。
【図６】(ａ)は本考案に係る陳列具の具体例、(ｂ)は該陳列具の展開図。
【図７】従来の陳列具を陳列棚に配列した場合。
【図８】従来の陳列具。
【符号の説明】
【００３２】
１  底部
２  凭れ部
３  支え部
４  載置部
５  側板
６  ストッパー部
７  後方部
８  係合片
９  係合穴
10  樹脂製板
11  開口
12  折り曲げ溝
13  係合溝
14  係合片
15  切り抜き線
16  接着片
17  ストッパー片
18  接着片
19  係合片
20  繋ぎ片
22  底部
23  凭れ部
24  側板
25  載置部
26  ストッパー部
27  折り曲げ溝
28  係合片
29  係合溝
30  繋ぎ片
31  背板
32  折り曲げ溝
33  折り曲げ溝
34  係合溝
35  係合片
36  背板
37  係合溝
38  係合溝
【図１】
0003122045.tif 000003
【図２】
0003122045.tif 000004
【図３】
0003122045.tif 000005
【図４】
0003122045.tif 000006
【図５】
0003122045.tif 000007
【図６】
0003122045.tif 000008
【図７】
0003122045.tif 000009
【図８】
0003122045.tif 000010